(57)【要約】【課題】  移動通信端末及び通信端末のピアツーピア通信を行うための接続を容易にし、ピアツーピア通信中の移動通信端末が多くなっても処理負担が小さい、接続管理装置、接続管理システム、及び接続管理方法を提供する。【解決手段】  接続管理装置１は、組合せ情報と端末事前情報と計算機事前情報とを格納する情報格納部１１と、計算機認証情報１２ａを受信する計算機情報受信部１２と、計算機認証情報１２ａを照会する計算機照会部１３と、端末認証情報１４ａを受信する端末情報受信部１４と、端末認証情報１４ａを照会する端末照会部１５と、所在問合せ１６ａを受信する所在問合せ受信部１６と、所在情報１７ａを送信する所在送信部１７と、可否問合せ１８ａを受信する可否問合せ受信部１８と、可否問合せ１８ａを照会する可否照会部１９と、可否情報２０ａを送信する可否送信部２０と、を備える。【選択図】  図１
2006135804.tif 000002
【特許請求の範囲】
【請求項１】
移動通信端末及び通信端末を、ピアツーピア通信が行えるように接続させるための接続管理装置であって、
当該接続を事前に許可された移動通信端末及び通信端末の組合せに関する組合せ情報と、当該接続を行う移動通信端末に関する端末事前情報と、当該接続を行う通信端末に関する計算機事前情報と、を格納する情報格納手段と、
前記通信端末から送信される、当該接続を許可するか否かの認証に用いられる計算機認証情報を受信する計算機情報受信手段と、
前記計算機情報受信手段が受信した当該計算機認証情報を、前記情報格納手段に格納された前記計算機事前情報に照会する計算機照会手段と、
前記移動通信端末から送信される、当該接続を許可するか否かの認証に用いられる端末認証情報を受信する端末情報受信手段と、
前記端末情報受信手段が受信した当該端末認証情報を、前記情報格納手段に格納された前記端末事前情報に照会する端末照会手段と、
前記移動通信端末から送信される、当該接続の接続先となる通信端末のネットワーク上の所在を問合せる所在問合せを受信する所在問合せ受信手段と、
前記端末照会手段の照会の結果、当該端末認証情報及び前記端末事前情報が合致する場合に、前記所在問合せ受信手段が受信した当該所在問合せに応じて、前記情報格納手段に格納された前記計算機事前情報に基づいた当該所在を示す所在情報を当該移動通信端末に送信する所在送信手段と、
前記移動通信端末による前記所在情報の受信に応じて当該移動通信端末から送信された当該接続を要求する接続要求を受信した通信端末から送信される、当該移動通信端末との接続を認可するか否かの認証に用いられる可否問合せを受信する可否問合せ受信手段と、
前記可否問合せ受信手段が受信した当該可否問合せを、前記情報格納手段に格納された前記組合せ情報に照会する可否照会手段と、
前記可否照会手段の照会の結果に基づいた、当該接続の認可の可否を示す可否情報を当該通信端末に送信する可否送信手段と、
を備える接続管理装置。
【請求項２】
前記移動通信端末から送信される、前記情報格納手段に前記端末事前情報として格納しようとする端末登録情報を受信し、前記情報格納手段に格納する端末登録受信手段を備える、請求項１に記載の接続管理装置。
【請求項３】
前記移動通信端末から送信される、前記情報格納手段に前記組合せ情報として格納しようとする組合せ登録情報を受信し、前記情報格納手段に格納する組合せ登録受信手段を備える、請求項１又は２に記載の接続管理装置。
【請求項４】
移動通信端末と、通信端末と、前記移動通信端末及び前記通信端末をピアツーピア通信が行えるように接続させるための接続管理装置と、を含む接続管理システムであって、
前記接続管理装置は、
当該接続を事前に許可された移動通信端末及び通信端末の組合せに関する組合せ情報と、当該接続を行う移動通信端末に関する端末事前情報と、当該接続を行う通信端末に関する計算機事前情報と、を格納する情報格納手段と、
前記通信端末から送信される、当該接続を許可するか否かの認証に用いられる計算機認証情報を受信する計算機情報受信手段と、
前記計算機情報受信手段が受信した当該計算機認証情報を、前記情報格納手段に格納された前記計算機事前情報に照会する計算機照会手段と、
前記移動通信端末から送信される、当該接続を許可するか否かの認証に用いられる端末認証情報を受信する端末情報受信手段と、
前記端末情報受信手段が受信した当該端末認証情報を、前記情報格納手段に格納された前記端末事前情報に照会する端末照会手段と、
前記移動通信端末から送信される、当該接続の接続先となる通信端末のネットワーク上の所在を問合せる所在問合せを受信する所在問合せ受信手段と、
前記端末照会手段の照会の結果、当該端末認証情報及び前記端末事前情報が合致する場合に、前記所在問合せ受信手段が受信した当該所在問合せに応じて、前記情報格納手段に格納された前記計算機事前情報に基づいた当該所在を示す所在情報を当該移動通信端末に送信する所在送信手段と、
前記移動通信端末による前記所在情報の受信に応じて当該移動通信端末から送信された当該接続を要求する接続要求を受信した通信端末から送信される、当該移動通信端末との接続を認可するか否かの認証に用いられる可否問合せを受信する可否問合せ受信手段と、
前記可否問合せ受信手段が受信した当該可否問合せを、前記情報格納手段に格納された前記組合せ情報に照会する可否照会手段と、
前記可否照会手段の照会の結果に基づいた、当該接続の認可の可否を示す可否情報を当該通信端末に送信する可否送信手段と、
を備える、接続管理システム。
【請求項５】
移動通信端末及び通信端末を、ピアツーピア通信が行えるように接続させるための接続管理方法であって、
当該接続を事前に許可された移動通信端末及び通信端末の組合せに関する組合せ情報と、当該接続を行う移動通信端末に関する端末事前情報と、当該接続を行う通信端末に関する計算機事前情報と、を格納する情報格納ステップと、
前記通信端末から送信される、当該接続を許可するか否かの認証に用いられる計算機認証情報を受信する計算機情報受信ステップと、
前記計算機情報受信ステップにおいて受信した当該計算機認証情報を、前記情報格納ステップにおいて格納された前記計算機事前情報に照会する計算機照会ステップと、
前記移動通信端末から送信される、当該接続を許可するか否かの認証に用いられる端末認証情報を受信する端末情報受信ステップと、
前記端末情報受信ステップにおいて受信した当該端末認証情報を、前記情報格納ステップにおいて格納された前記端末事前情報に照会する端末照会ステップと、
前記移動通信端末から送信される、当該接続の接続先となる通信端末のネットワーク上の所在を問合せる所在問合せを受信する所在問合せ受信ステップと、
前記端末照会ステップにおける照会の結果、当該端末認証情報及び前記端末事前情報が合致する場合に、前記所在問合せ受信ステップにおいて受信した当該所在問合せに応じて、前記情報格納ステップにおいて格納された前記計算機事前情報に基づいた当該所在を示す所在情報を当該移動通信端末に送信する所在送信ステップと、
前記移動通信端末による前記所在情報の受信に応じて当該移動通信端末から送信された当該接続を要求する接続要求を受信した通信端末から送信される、当該移動通信端末との接続を認可するか否かの認証に用いられる可否問合せを受信する可否問合せ受信ステップと、
前記可否問合せ受信ステップにおいて受信した当該可否問合せを、前記情報格納ステップにおいて格納された前記組合せ情報に照会する可否照会ステップと、
前記可否照会ステップにおける照会の結果に基づいた、当該接続の認可の可否を示す可否情報を当該通信端末に送信する可否送信ステップと、
を備える接続管理方法。
【発明の詳細な説明】
【技術分野】
【０００１】
本発明は、移動通信端末及び通信端末のピアツーピア通信を実現する、接続管理装置、接続管理システム、及び接続管理方法に関するものである。
【背景技術】
【０００２】
移動通信端末及び通信端末（パーソナルコンピュータ等）を、ピアツーピア（Ｐｅｅｒ  ｔｏ  Ｐｅｅｒ）通信が実現できるように接続させるための、接続管理システムが提案されている。
【０００３】
例えば、下記特許文献１に開示されたモバイルソリューションシステムでは、通信端末への接続を要求する移動通信端末から送信される認証要求に対して、認証確認を行っている。これにより、通信端末への接続が妥当であると認証された移動通信端末と、社内ＬＡＮに構築された通信端末との、ピアツーピア通信が行えるような接続を実現させている。なお、通信端末には、通信端末各々を特定するためのシリアル番号が付与されている。
【０００４】
また、下記特許文献２に開示されたサービスゲートウェイ装置では、移動通信端末及び通信端末の仮想的なピアツーピア通信を実現するために、移動通信端末各々に対応した擬似ピアオブジェクトを生成している。通信端末への接続を要求する移動通信端末に対応して生成した擬似ピアオブジェクトと、この通信端末とが接続を行うことにより、移動通信端末及び通信端末の仮想的なピアツーピア通信を実現することができる。
【特許文献１】特開２００４−１３９５７７号公報
【特許文献２】特開２００３−２７３９３７号公報
【発明の開示】
【発明が解決しようとする課題】
【０００５】
しかしながら、上記特許文献１に開示された従来の技術では、ＩＳＰ（インターネットサービスプロバイダ）により通信端末各々にＩＰアドレスを動的に割り当てる等、通信端末各々のネットワーク上の所在により通信端末の特定を行う場合、この所在を利用した移動通信端末及び通信端末の接続方法を検討する必要があるので、移動通信端末及び通信端末の接続が困難であるという課題がある。また、上記特許文献２に開示された従来の技術では、サービスゲートウェイ装置が、移動通信端末各々に対応した擬似ピアオブジェクトを自身の装置内で生成して通信させるので、ピアツーピア通信を行っている移動通信端末が多くなるほどサービスゲートウェイ装置の処理負担が大きくなってしまうという課題がある。
【０００６】
そこで本発明では、移動通信端末及び通信端末のピアツーピア通信を行うための接続を容易にし、ピアツーピア通信中の移動通信端末が多くなっても処理負担が小さい、接続管理装置、接続管理システム、及び接続管理方法を提供することを課題とする。
【課題を解決するための手段】
【０００７】
本発明の接続管理装置は、移動通信端末及び通信端末を、ピアツーピア通信が行えるように接続させるための接続管理装置であって、（１）当該接続を事前に許可された移動通信端末及び通信端末の組合せに関する組合せ情報と、当該接続を行う移動通信端末に関する端末事前情報と、当該接続を行う通信端末に関する計算機事前情報と、を格納する情報格納手段と、（２）通信端末から送信される、当該接続を許可するか否かの認証に用いられる計算機認証情報を受信する計算機情報受信手段と、（３）計算機情報受信手段が受信した当該計算機認証情報を、情報格納手段に格納された計算機事前情報に照会する計算機照会手段と、（４）移動通信端末から送信される、当該接続を許可するか否かの認証に用いられる端末認証情報を受信する端末情報受信手段と、（５）端末情報受信手段が受信した当該端末認証情報を、情報格納手段に格納された端末事前情報に照会する端末照会手段と、（６）移動通信端末から送信される、当該接続の接続先となる通信端末のネットワーク上の所在を問合せる所在問合せを受信する所在問合せ受信手段と、（７）端末照会手段の照会の結果、当該端末認証情報及び端末事前情報が合致する場合に、所在問合せ受信手段が受信した当該所在問合せに応じて、情報格納手段に格納された計算機事前情報に基づいた当該所在を示す所在情報を当該移動通信端末に送信する所在送信手段と、（８）移動通信端末による所在情報の受信に応じて当該移動通信端末から送信された当該接続を要求する接続要求を受信した通信端末から送信される、当該移動通信端末との接続を認可するか否かの認証に用いられる可否問合せを受信する可否問合せ受信手段と、（９）可否問合せ受信手段が受信した当該可否問合せを、情報格納手段に格納された組合せ情報に照会する可否照会手段と、（１０）可否照会手段の照会の結果に基づいた、当該接続の認可の可否を示す可否情報を当該通信端末に送信する可否送信手段と、を備える。
【０００８】
本発明の接続管理装置によれば、計算機情報受信手段が受信した計算機認証情報を、情報格納手段に格納された計算機事前情報に計算機照会手段が照会し、同様に、端末情報受信手段が受信した端末認証情報を、情報格納手段に格納された端末事前情報に端末照会手段が照会する。そして、所在問合せ受信手段が移動通信端末から受信した所在問合せに応じて、所在送信手段が通信端末の所在を当該移動通信端末に通知する。そして、当該移動通信端末からの接続要求を受信した通信端末から送信され、可否問合せ受信手段が受信した可否問合せを、情報格納手段に格納された組合せ情報に可否照会手段が照会し、照会の結果に基づいた可否情報を可否送信手段が当該通信端末に送信する。これにより、当該接続を認可すべきであることを可否情報が示す場合は、当該通信端末は、当該可否情報を受信したことに応じて、当該移動通信端末との接続を行う。この結果、通信端末の所在を利用した容易な接続が実現でき、移動通信端末及び通信端末のピアツーピア通信が可能となる。また、移動通信端末及び通信端末のピアツーピア通信が行われている間は、移動通信端末及び通信端末のリソースのみが利用されるので、移動通信端末が多くなる場合でも処理負担を小さくすることができる。
【０００９】
また、移動通信端末から送信される、情報格納手段に端末事前情報として格納しようとする端末登録情報を受信し、情報格納手段に格納する端末登録受信手段を備えるのも好ましい。これにより、接続を行う移動通信端末に関して登録されている端末事前情報の追加や変更を行うことができる。
【００１０】
また、移動通信端末から送信される、情報格納手段に組合せ情報として格納しようとする組合せ登録情報を受信し、情報格納手段に格納する組合せ登録受信手段を備えるのも好ましい。これにより、接続を事前に許可されて登録されている移動通信端末及び通信端末の組合せに関する組合せ情報の追加や変更を行うことができる。
【００１１】
本発明の接続管理システムは、移動通信端末と、通信端末と、移動通信端末及び通信端末をピアツーピア通信が行えるように接続させるための接続管理装置と、を含む接続管理システムであって、接続管理装置は、（１）当該接続を事前に許可された移動通信端末及び通信端末の組合せに関する組合せ情報と、当該接続を行う移動通信端末に関する端末事前情報と、当該接続を行う通信端末に関する計算機事前情報と、を格納する情報格納手段と、（２）通信端末から送信される、当該接続を許可するか否かの認証に用いられる計算機認証情報を受信する計算機情報受信手段と、（３）計算機情報受信手段が受信した当該計算機認証情報を、情報格納手段に格納された計算機事前情報に照会する計算機照会手段と、（４）移動通信端末から送信される、当該接続を許可するか否かの認証に用いられる端末認証情報を受信する端末情報受信手段と、（５）端末情報受信手段が受信した当該端末認証情報を、情報格納手段に格納された端末事前情報に照会する端末照会手段と、（６）移動通信端末から送信される、当該接続の接続先となる通信端末のネットワーク上の所在を問合せる所在問合せを受信する所在問合せ受信手段と、（７）端末照会手段の照会の結果、当該端末認証情報及び端末事前情報が合致する場合に、所在問合せ受信手段が受信した当該所在問合せに応じて、情報格納手段に格納された計算機事前情報に基づいた当該所在を示す所在情報を当該移動通信端末に送信する所在送信手段と、（８）移動通信端末による所在情報の受信に応じて当該移動通信端末から送信された当該接続を要求する接続要求を受信した通信端末から送信される、当該移動通信端末との接続を認可するか否かの認証に用いられる可否問合せを受信する可否問合せ受信手段と、（９）可否問合せ受信手段が受信した当該可否問合せを、情報格納手段に格納された組合せ情報に照会する可否照会手段と、（１０）可否照会手段の照会の結果に基づいた、当該接続の認可の可否を示す可否情報を当該通信端末に送信する可否送信手段と、を備える。
【００１２】
本発明の接続管理システムによれば、接続管理装置は、計算機情報受信手段が受信した計算機認証情報を、情報格納手段に格納された計算機事前情報に計算機照会手段が照会し、同様に、端末情報受信手段が受信した端末認証情報を、情報格納手段に格納された端末事前情報に端末照会手段が照会する。そして、所在問合せ受信手段が移動通信端末から受信した所在問合せに応じて、所在送信手段が通信端末の所在を当該移動通信端末に通知する。そして、当該移動通信端末からの接続要求を受信した通信端末から送信され、可否問合せ手段が受信した可否問合せを、情報格納手段に格納された組合せ情報に可否照会手段が照会し、照会の結果に基づいた可否情報を可否送信手段が当該通信端末に送信する。これにより、当該接続を認可すべきであることを可否情報が示す場合は、当該通信端末は、当該可否情報を受信したことに応じて、当該移動通信端末との接続を行う。この結果、通信端末の所在を利用した容易な接続が実現でき、移動通信端末及び通信端末のピアツーピア通信が可能となる。また、移動通信端末及び通信端末のピアツーピア通信が行われている間は、移動通信端末及び通信端末のリソースのみが利用されるので、移動通信端末が多くなる場合でも処理負担を小さくすることができる。
【００１３】
本発明の接続管理方法は、移動通信端末及び通信端末を、ピアツーピア通信が行えるように接続させるための接続管理方法であって、（１）当該接続を事前に許可された移動通信端末及び通信端末の組合せに関する組合せ情報と、当該接続を行う移動通信端末に関する端末事前情報と、当該接続を行う通信端末に関する計算機事前情報と、を格納する情報格納ステップと、（２）通信端末から送信される、当該接続を許可するか否かの認証に用いられる計算機認証情報を受信する計算機情報受信ステップと、（３）計算機情報受信ステップにおいて受信した当該計算機認証情報を、情報格納ステップにおいて格納された計算機事前情報に照会する計算機照会ステップと、（４）移動通信端末から送信される、当該接続を許可するか否かの認証に用いられる端末認証情報を受信する端末情報受信ステップと、（５）端末情報受信ステップにおいて受信した当該端末認証情報を、情報格納ステップにおいて格納された端末事前情報に照会する端末照会ステップと、（６）移動通信端末から送信される、当該接続の接続先となる通信端末のネットワーク上の所在を問合せる所在問合せを受信する所在問合せ受信ステップと、（７）端末照会ステップにおける照会の結果、当該端末認証情報及び端末事前情報が合致する場合に、所在問合せ受信ステップにおいて受信した当該所在問合せに応じて、情報格納ステップにおいて格納された計算機事前情報に基づいた当該所在を示す所在情報を当該移動通信端末に送信する所在送信ステップと、（８）移動通信端末による所在情報の受信に応じて当該移動通信端末から送信された当該接続を要求する接続要求を受信した通信端末から送信される、当該移動通信端末との接続を認可するか否かの認証に用いられる可否問合せを受信する可否問合せ受信ステップと、（９）可否問合せ受信ステップにおいて受信した当該可否問合せを、情報格納ステップにおいて格納された組合せ情報に照会する可否照会ステップと、（１０）可否照会ステップにおける照会の結果に基づいた、当該接続の認可の可否を示す可否情報を当該通信端末に送信する可否送信ステップと、を備える。
【００１４】
本発明の接続管理方法によれば、計算機情報受信ステップで受信した計算機認証情報を、情報格納ステップで格納された計算機事前情報に計算機照会ステップにおいて照会し、同様に、端末情報受信ステップで受信した端末認証情報を、情報格納ステップで格納された端末事前情報に端末照会ステップにおいて照会する。そして、所在問合せ受信ステップで移動通信端末から受信した所在問合せに応じて、所在送信ステップにおいて通信端末の所在を当該移動通信端末に通知する。そして、当該移動通信端末からの接続要求を受信した通信端末から送信され、可否問合せステップで受信した可否問合せを、情報格納ステップで格納された組合せ情報に可否照会ステップで照会し、照会の結果に基づいた可否情報を可否送信ステップにおいて当該通信端末に送信する。これにより、当該接続を認可すべきであることを可否情報が示す場合は、当該通信端末は、当該可否情報を受信したことに応じて、当該移動通信端末との接続を行う。この結果、通信端末の所在を利用した容易な接続が実現でき、移動通信端末及び通信端末のピアツーピア通信が可能となる。また、移動通信端末及び通信端末のピアツーピア通信が行われている間は、移動通信端末及び通信端末のリソースのみが利用されるので、移動通信端末が多くなる場合でも処理負担を小さくすることができる。
【発明の効果】
【００１５】
本発明によれば、移動通信端末及び通信端末のピアツーピア通信を行うための接続を容易にし、ピアツーピア通信中の移動通信端末が多くなっても処理負担が小さい、接続管理装置、接続管理システム、及び接続管理方法を提供することができる。
【発明を実施するための最良の形態】
【００１６】
以下、添付図面を参照しながら本発明の好適な実施形態を説明する。なお、図面の説明において同一要素には同一符号を付し、重複する説明を省略する。
【００１７】
本発明の実施形態である、接続管理装置及び接続管理システムについて、図１を用いて説明する。図１は、接続管理装置１及び接続管理システム９を説明するための図である。接続管理システム９は、接続管理装置１と、携帯電話機３と、パーソナルコンピュータ５と、を含んで構成されている。接続管理装置１は、物理的には、ＣＰＵ（中央演算処理装置）、メモリ、ハードディスクといった格納装置、モデムやＬＡＮカードといった通信装置、マウスやキーボードといった入力装置、ディスプレイといった表示装置等を備えたコンピュータシステム（またはコンピュータシステムの集合体）として構成されている。
【００１８】
接続管理装置１は、機能的な構成要素として、情報格納部（情報格納手段）１１、計算機情報受信部（計算機情報受信手段）１２、計算機照会部（計算機照会手段）１３、端末情報受信部（端末情報受信手段）１４、端末照会部（端末照会手段）１５、所在問合せ受信部（所在問合せ受信手段）１６、所在送信部（所在送信手段）１７、可否問合せ受信部（可否問合せ受信手段）１８、可否照会部（可否照会手段）１９、可否送信部（可否送信手段）２０、端末登録受信部（端末登録受信手段）２１、及び組合せ登録受信部（組合せ登録受信手段）２２を備えている。
【００１９】
また、接続管理装置１とは別に、接続管理装置１と通信可能な、携帯電話機３及びパーソナルコンピュータ５が存在する。なお、ここで行われる通信においては、ＮＡＴ（Ｎｅｔｗｏｒｋ  Ａｄｄｒｅｓｓ  Ｔｒａｎｓｌａｔｉｏｎ）と呼ばれている通信技術を合わせて用いてもよい。
【００２０】
携帯電話機３は、接続管理装置１やパーソナルコンピュータ５と通信可能な移動通信端末であり、移動通信端末のその他の例として、ＰＤＡ（Ｐｅｒｓｏｎａｌ  Ｄｉｇｉｔａｌ  Ａｓｓｉｓｔａｎｃｅ）等が挙げられる。携帯電話機３は、端末認証情報１４ａと、所在問合せ１６ａと、端末登録情報２１ａと、組合せ登録情報２２ａと、を接続管理装置１に送信し、接続要求５ａをパーソナルコンピュータ５に送信する。また、所在情報１７ａを接続管理装置１から受信する。送受信される情報等に関する説明は、後述する。
【００２１】
パーソナルコンピュータ５は、接続管理装置１や携帯電話機３と通信可能な通信端末であり、通信端末のその他の例として、ホストコンピュータやＷＷＷサーバ等が挙げられる。パーソナルコンピュータ５は、計算機認証情報１２ａと、可否問合せ１８ａと、を接続管理装置１に送信し、可否情報２０ａを接続管理装置１から受信し、接続要求５ａを携帯電話機３から受信する。送受信される情報等に関する説明は、後述する。
【００２２】
引き続いて、接続管理装置１の各構成要素について説明する。情報格納部１１は、組合せ情報１１ａ、端末事前情報１１ｂ、及び計算機事前情報１１ｃを格納する部分である。
【００２３】
組合せ情報１１ａは、ピアツーピア通信を行えるような接続を事前に許可された、携帯電話機３及びパーソナルコンピュータ５の組合せに関する情報である。より詳しくは、携帯電話機３を用いた当該接続を許可するか否かの認証に用いる端末認証ＩＤと、同様にパーソナルコンピュータ５を用いた当該接続を許可するか否かの認証に用いる計算機認証ＩＤと、の組合せを示す情報である。なお、組合せ情報１１ａは、組合せ登録受信部２２が受信した組合せ登録情報２２ａに基づいた変更が可能であり、接続を事前に許可されて登録されている携帯電話機３及びパーソナルコンピュータ５の組合せの追加や変更を行うことができる。
【００２４】
また、端末事前情報１１ｂは、当該接続が許可されている携帯電話機３に関して事前に登録されている情報である。端末事前情報１１ｂには、上記の端末認証ＩＤに対応する、この端末認証ＩＤを用いた認証の際に必要となる端末認証パスワードと、この携帯電話機３を物理的に識別するために電話機固有に割り当てられた電番等の端末識別ＩＤと、が含まれ、これらが関連づけられている。なお、端末事前情報１１ｂは、端末登録受信部２１が受信した端末登録情報２１ａに基づいた変更が可能であり、接続を行う携帯電話機３に関して登録されている情報の追加や変更を行うことができる。
【００２５】
また、計算機事前情報１１ｃは、当該接続を許可されて行うパーソナルコンピュータ５に関して事前に登録されている情報である。計算機事前情報１１ｃには、上記の計算機認証ＩＤに対応する、この計算機認証ＩＤを用いた認証の際に必要となる計算機認証パスワードと、このパーソナルコンピュータ５に割り当てられたＩＰアドレスである計算機ＩＰアドレスと、が含まれ、これらが関連づけられている。
【００２６】
計算機情報受信部１２は、パーソナルコンピュータ５から送信される、計算機認証情報１２ａを受信する部分である。計算機認証情報１２ａは、当該接続を許可するか否かの認証に用いられる情報であり、上記の計算機認証ＩＤ、計算機認証パスワード、及び計算機ＩＰアドレスが含まれ、これらが関連づけられている。
【００２７】
計算機照会部１３は、計算機情報受信部１２が受信した計算機認証情報１２ａを、情報格納部１１に格納された計算機事前情報１１ｃに照会する部分である。より詳しくは、計算機認証情報１２ａに含まれる計算機認証ＩＤ及び計算機認証パスワードの組合せが、組合せ情報１１ａの計算機認証ＩＤと、これに対応する、計算機事前情報１１ｃに含まれる計算機認証パスワードとの組合せと、一致するかを照合することによって認証を行う部分である。照会の結果、これらの情報が一致する場合、計算機照会部１３は、接続を事前に許可されていたパーソナルコンピュータ５が接続可能な状態になったことを認識する。また、計算機事前情報１１ｃに含まれる計算機ＩＰアドレスが、計算機認証情報１２ａに含まれる計算機ＩＰアドレスに更新される。
【００２８】
端末情報受信部１４は、携帯電話機３から送信される、端末認証情報１４ａを受信する部分である。端末認証情報１４ａは、当該接続を許可するか否かの認証に用いられる情報であり、上記の端末認証ＩＤ、端末認証パスワード、及び端末識別ＩＤが含まれ、これらが関連づけられている。
【００２９】
端末照会部１５は、端末情報受信部１４が受信した端末認証情報１４ａを、情報格納部１１に格納された端末事前情報１１ｂに照会する部分である。より詳しくは、端末認証情報１４ａに含まれる端末認証ＩＤ及び端末認証パスワードの組合せが、組合せ情報１１ａに含まれる端末認証ＩＤと、これに対応する、端末事前情報１１ｂに含まれる端末認証パスワードとの組合せと、一致するかを照合することによって認証を行う部分である。照会の結果、これらの情報が一致する場合、端末照会部１５は、接続を事前に許可されていた携帯電話機３が接続可能な状態になったことを認識する。
【００３０】
所在問合せ受信部１６は、携帯電話機３から送信される、当該接続の接続先となるパーソナルコンピュータ５のネットワーク上の所在を問合せる所在問合せ１６ａを受信する部分である。所在問合せ１６ａには、端末認証ＩＤ及び端末識別ＩＤが含まれ、これらのＩＤを有する携帯電話機３と接続を行うことが可能なパーソナルコンピュータ５の所在を問合せる。なお、パーソナルコンピュータ５のネットワーク上の所在としては、例としてパーソナルコンピュータ５のＩＰアドレス等が挙げられる。
【００３１】
所在送信部１７は、端末照会部１５の照会の結果、端末認証情報１４ａ及び端末事前情報１１ｂが合致する場合に、所在情報１７ａを当該携帯電話機３に送信する部分である。所在情報１７ａは、所在問合せ受信部１６が受信した当該所在問合せ１６ａに応じて、情報格納部１１に格納された計算機事前情報１１ｃ及び組合せ情報１１ａに基づいた、パーソナルコンピュータ５のネットワーク上の当該所在を示す情報と、当該携帯電話機３による接続が認められたことを証明する認証情報と、が含まれている。パーソナルコンピュータ５のネットワーク上の所在としては、上記のように、例としてパーソナルコンピュータ５のＩＰアドレス等が挙げられる。携帯電話機３は、この所在情報１７ａを受信したことに応じて、当該接続を要求する接続要求５ａを、所在情報１７ａにより示される場所に存在するパーソナルコンピュータ５に送信する。接続要求５ａには、当該携帯電話機３の端末認証ＩＤと、上記の認証情報と、が含まれている。
【００３２】
可否問合せ受信部１８は、接続要求５ａを受信したパーソナルコンピュータ５から送信される可否問合せ１８ａを受信する部分である。可否問合せ１８ａは、当該携帯電話機３との接続を認可するか否かの認証に用いられ、端末認証ＩＤと、上記の認証情報と、が含まれている。
【００３３】
可否照会部１９は、可否問合せ受信部１８が受信した当該可否問合せ１８ａを、情報格納部１１に格納された組合せ情報１１ａに照会する部分である。より詳しくは、可否問合せ１８ａに含まれる端末認証ＩＤが、組合せ情報１１ａに含まれる端末認証ＩＤと、一致するかを照合することによって認証を行う部分である。また、可否問合せ１８ａに含まれる認証情報により、当該携帯電話機３との接続の正当性がチェックされる。
【００３４】
可否送信部２０は、可否照会部１９の照会の結果に基づいた、可否情報２０ａを当該パーソナルコンピュータ５に送信する部分である。可否情報２０ａは、当該接続を認可すべきか否かを示す情報である。可否情報２０ａが、当該接続を認可すべきであることを示す場合は、当該パーソナルコンピュータ５は、この可否情報２０ａを受信したことに応じて、当該携帯電話機３との接続を開始する。
【００３５】
端末登録受信部２１は、携帯電話機３から送信される、情報格納部１１に端末事前情報１１ｂとして格納しようとする端末登録情報２１ａを受信し、情報格納部１１に格納する部分である。端末登録情報２１ａには、端末認証ＩＤと、端末認証パスワードと、端末識別ＩＤと、が含まれている。端末登録情報２１ａに基づいて、端末事前情報１１ｂを変更することが可能であり、これにより、接続を行う携帯電話機３に関して登録されている情報の追加や変更を行うことができる。
【００３６】
組合せ登録受信部２２は、携帯電話機３から送信される、情報格納部１１に組合せ情報１１ａとして格納しようとする組合せ登録情報２２ａを受信し、情報格納部１１に格納する部分である。組合せ登録情報２２ａには、端末認証ＩＤと、計算機認証ＩＤと、が含まれている。組合せ登録情報２２ａに基づいて、組合せ情報１１ａを変更することが可能であり、これにより、接続を事前に許可されて登録されている、携帯電話機３及びパーソナルコンピュータ５の組合せの追加や変更を行うことができる。
【００３７】
引き続いて、接続管理装置１、携帯電話機３、及びパーソナルコンピュータ５の間で送受信される情報について、図２も合わせて用いながら説明する。図２は、情報格納部１１に格納されている、組合せ情報１１ａ、端末事前情報１１ｂ、及び計算機事前情報１１ｃの一例を説明するための図である。
【００３８】
組合せ情報１１ａにより、端末認証ＩＤが「ＩＤＸ」である携帯電話機３と、計算機認証ＩＤが「ＣＩＤＹ」であるパーソナルコンピュータ５とは、ピアツーピア通信を行えるような接続を事前に許可された組合せであることが示されている。また、端末事前情報１１ｂ及び組合せ情報１１ａにより、端末認証ＩＤが「ＩＤＸ」である携帯電話機３の、端末認証パスワードが「ＰＳＷＷ」であり、端末識別ＩＤが「ＭＩＤＶ」であることが示されている。また、計算機事前情報１１ｃ及び組合せ情報１１ａにより、計算機認証ＩＤが「ＣＩＤＹ」であるパーソナルコンピュータ５の、計算機認証パスワードが「ＣＰＳＷＺ」であり、計算機ＩＰアドレスが「ｃｃｃ．ｃｃｃ．ｃｃｃ．ｃｃｃ」であることが示されている。
【００３９】
計算機情報受信部１２が受信する計算機認証情報１２ａは、計算機認証ＩＤの「ＣＩＤＹ」と、計算機認証パスワードの「ＣＰＳＷＺ」と、計算機ＩＰアドレスの「ｃｃｃ．ｃｃｃ．ｃｃｃ．ｃｃｃ」と、を含んでいるとする。計算機照会部１３は、これらの情報を、計算機事前情報１１ｃ及び組合せ情報１１ａに照会する。これらの情報の組合せが、組合せ情報１１ａの計算機認証ＩＤの「ＣＩＤＹ」と、これに対応する、計算機事前情報１１ｃの計算機認証パスワードの「ＣＰＳＷＺ」との組合せと、一致するため、接続を事前に許可されていたパーソナルコンピュータ５が、接続可能な状態になったことが認識される。なお、計算機認証情報１２ａが含む計算機ＩＰアドレスが「ｅｅｅ．ｅｅｅ．ｅｅｅ．ｅｅｅ」であった場合には、計算機事前情報１１ｃの計算機ＩＰアドレスは、「ｅｅｅ．ｅｅｅ．ｅｅｅ．ｅｅｅ」に更新される。
【００４０】
端末情報受信部１４が受信する端末認証情報１４ａは、端末認証ＩＤの「ＩＤＸ」と、端末認証パスワードの「ＰＳＷＷ」と、端末識別ＩＤの「ＭＩＤＶ」と、を含んでいるとする。端末照会部１５は、これらの情報を、端末事前情報１１ｂ及び組合せ情報１１ａに照会する。これらの情報の組合せが、組合せ情報１１ａの端末認証ＩＤの「ＩＤＸ」と、これに対応する、端末事前情報１１ｂに含まれる端末認証パスワードの「ＰＳＷＷ」との組合せと、一致するため、接続を事前に許可されていた携帯電話機３が、接続可能な状態になったことが認識される。
【００４１】
所在問合せ受信部１６が受信する所在問合せ１６ａは、端末認証ＩＤの「ＩＤＸ」及び端末識別ＩＤの「ＭＩＤＶ」を含んでいる。端末照会部１５の照会の結果、端末認証情報１４ａ及び端末事前情報１１ｂが上記のように合致している場合に所在送信部１７が送信する所在情報１７ａは、端末認証ＩＤが「ＩＤＸ」である携帯電話機３と接続を行うパーソナルコンピュータ５の計算機ＩＰアドレスの「ｃｃｃ．ｃｃｃ．ｃｃｃ．ｃｃｃ」と、認証情報と、を含んでいる。ＩＰアドレスが「ｃｃｃ．ｃｃｃ．ｃｃｃ．ｃｃｃ」であるパーソナルコンピュータ５に携帯電話機３が送信する接続要求５ａは、端末認証ＩＤの「ＩＤＸ」及び認証情報を含んでいる。
【００４２】
可否問合せ受信部１８が受信する可否問合せ１８ａは、端末認証ＩＤの「ＩＤＸ」及び認証情報を含んでいる。可否照会部１９は、この端末認証ＩＤを、組合せ情報１１ａに照会する。この端末認証ＩＤが組合せ情報１１ａの端末認証ＩＤの「ＩＤＸ」と一致するため、当該接続を認可すべきであることを示す可否情報２０ａが可否送信部２０から送信される。
【００４３】
端末登録受信部２１が受信する端末登録情報２１ａは、端末認証ＩＤの「ＩＤＸ」と、端末認証パスワードの「ＰＳＷＷ」と、端末識別ＩＤの「ＭＩＤＶ２」と、を含んでいるとする。端末登録受信部２１は、これらの情報を、端末事前情報１１ｂ及び組合せ情報１１ａに照会する。これらの情報の組合せが、組合せ情報１１ａの端末認証ＩＤの「ＩＤＸ」と、これに対応する、端末事前情報１１ｂの端末認証パスワードの「ＰＳＷＷ」との組合せと、一致するため、端末事前情報１１ｂの端末識別ＩＤを「ＭＩＤＶ２」に変更することができる。
【００４４】
組合せ登録受信部２２が受信する組合せ登録情報２２ａは、端末認証ＩＤの「ＩＤＸ」と、計算機認証ＩＤの「ＣＩＤＹ２」と、を含んでいるとする。組合せ登録受信部２２は、これらの情報に基づいて、組合せ情報１１ａを変更する。
【００４５】
引き続いて、接続管理装置１を用いて、ピアツーピア通信を行うための接続を行う方法と、端末事前情報１１ｂ及び組合せ情報１１ａの変更を行う方法と、について、図３〜図５に示すシーケンス図を用いて説明する。図３は、携帯電話機３及びパーソナルコンピュータ５を接続させる処理の順番を示すシーケンス図であり、図４は、端末事前情報１１ｂを変更する処理の順番を示すシーケンス図であり、図５は、組合せ情報１１ａを変更する処理の順番を示すシーケンス図である。
【００４６】
携帯電話機３及びパーソナルコンピュータ５を接続させる処理は、図３に示すように、まず情報格納部１１が、組合せ情報１１ａと、端末事前情報１１ｂと、計算機事前情報１１ｃと、を格納する（ステップＳ７１）。この格納は、接続管理装置１の上記の入力装置を用いて行ってもよく、また、端末登録情報２１ａや組合せ登録情報２２ａを接続管理装置１に送信することで行ってもよい。なお、ステップＳ７１が、情報格納ステップに対応する。
【００４７】
次に、計算機情報受信部１２が、計算機認証情報１２ａを受信し（ステップＳ７２）、計算機照会部１３が、計算機認証情報１２ａを計算機事前情報１１ｃに照会する（ステップＳ７３）。同様に、端末情報受信部１４が、端末認証情報１４ａを受信し（ステップＳ７４）、端末照会部１５が、端末認証情報１４ａを端末事前情報１１ｂに照会する（ステップＳ７５）。なお、ステップＳ７２が計算機情報受信ステップに、ステップＳ７３が計算機照会ステップに、ステップＳ７４が端末情報受信ステップに、ステップＳ７５が端末照会ステップに、対応する。
【００４８】
所在問合せ受信部１６が、所在問合せ１６ａを受信し（ステップＳ７６）、ステップＳ７５における照会の結果、当該端末認証情報１４ａ及び端末事前情報１１ｂが合致する場合に、当該所在問合せ１６ａに応じて計算機事前情報１１ｃ及び組合せ情報１１ａに基づいた所在情報１７ａを、所在送信部１７が送信する（ステップＳ７７）。携帯電話機３は、この所在情報１７ａを受信したことに応じて、接続要求５ａを、所在情報１７ａにより示される場所に存在するパーソナルコンピュータ５に送信する。なお、ステップＳ７６が所在問合せステップに、ステップＳ７７が所在送信ステップに、対応する。
【００４９】
可否問合せ受信部１８が、接続要求５ａを受信したパーソナルコンピュータ５から送信される可否問合せ１８ａを受信し（ステップＳ７８）、可否照会部１９が、この可否問合せ１８ａを組合せ情報１１ａに照会する（ステップＳ７９）。可否送信部２０が、ステップＳ７９における照会の結果に基づいた可否情報２０ａを当該パーソナルコンピュータ５に送信する（ステップＳ８０）。これにより、当該接続を認可すべきであることを可否情報２０ａが示す場合は、当該パーソナルコンピュータ５は、当該可否情報２０ａを受信したことに応じて、当該携帯電話機３との接続を行う。なお、ステップＳ７８が可否問合せ受信ステップに、ステップＳ７９が可否照会ステップに、ステップＳ８０が可否送信ステップに、対応する。
【００５０】
端末事前情報１１ｂを変更する処理は、図４に示すように、まず端末登録受信部２１が、端末登録情報２１ａを受信し、情報格納部１１に格納する（ステップＳ８１）。これにより、端末事前情報１１ｂが、端末登録情報２１ａに基づいて変更される（ステップＳ８２）。なお、ステップＳ８１が、端末登録受信ステップに対応する。
【００５１】
組合せ情報１１ａを変更する処理は、図５に示すように、まず組合せ登録受信部２２が、組合せ登録情報２２ａを受信し、情報格納部１１に格納する（ステップＳ８３）。これにより、組合せ情報１１ａが、組合せ登録情報２２ａに基づいて変更される（ステップＳ８４）。なお、ステップＳ８３が、組合せ登録受信ステップに対応する。
【００５２】
本実施形態の作用効果について、図１を用いて説明する。計算機情報受信部１２が受信した計算機認証情報１２ａを、情報格納部１１に格納された計算機事前情報１１ｃに計算機照会部１３が照会し、同様に、端末情報受信部１４が受信した端末認証情報１４ａを、情報格納部１１に格納された端末事前情報１１ｂに端末照会部１５が照会する。そして、所在問合せ受信部１６が携帯電話機３から受信した所在問合せ１６ａに応じて、所在送信部１７がパーソナルコンピュータ５の所在を携帯電話機３に通知する。そして、携帯電話機３からの接続要求５ａを受信したパーソナルコンピュータ５から、可否問合せ受信部１８が受信した可否問合せ１８ａを、情報格納部１１に格納された組合せ情報１１ａに可否照会部１９が照会し、照会の結果に基づいた可否情報２０ａを可否送信部２０がパーソナルコンピュータ５に送信する。これにより、当該接続を認可すべきであることを可否情報２０ａが示す場合は、当該パーソナルコンピュータ５は、当該可否情報２０ａを受信したことに応じて、当該携帯電話機３との接続を行う。この結果、パーソナルコンピュータ５の所在を利用した容易な接続が実現でき、携帯電話機３及びパーソナルコンピュータ５のピアツーピア通信が可能となる。また、携帯電話機３及びパーソナルコンピュータ５のピアツーピア通信が行われている間は、携帯電話機３及びパーソナルコンピュータ５のリソースのみが利用されるので、携帯電話機３が多くなる場合でも処理負担を小さくすることができる。
【図面の簡単な説明】
【００５３】
【図１】本実施形態の接続管理装置及び接続管理システムを説明するための図である。
【図２】情報格納部に格納されている各情報の一例を説明するための図である。
【図３】携帯電話機及びパーソナルコンピュータを接続させる処理の順番を示すシーケンス図である。
【図４】端末事前情報を変更する処理の順番を示すシーケンス図である。
【図５】組合せ情報を変更する処理の順番を示すシーケンス図である。
【符号の説明】
【００５４】
１…接続管理装置、３…携帯電話機、５…パーソナルコンピュータ、５ａ…接続要求、９…接続管理システム、１１…情報格納部、１１ａ…組合せ情報、１１ｂ…端末事前情報、１１ｃ…計算機事前情報、１２…計算機情報受信部、１２ａ…計算機認証情報、１３…計算機照会部、１４…端末情報受信部、１４ａ…端末認証情報、１５…端末照会部、１６…所在問合せ受信部、１７…所在送信部、１７ａ…所在情報、１８…可否問合せ受信部、１９…可否照会部、２０…可否送信部、２０ａ…可否情報、２１…端末登録受信部、２１ａ…端末登録情報、２２…組合せ登録受信部、２２ａ…組合せ登録情報、Ｓ７１〜Ｓ８４…ステップ。
【図１】
2006135804.tif 000003
【図２】
2006135804.tif 000004
【図３】
2006135804.tif 000005
【図４】
2006135804.tif 000006
【図５】
2006135804.tif 000007